(57)【要約】  【課題】  何回もキー操作を行う必要がなく、本編再生までの必要のない情報を見ずに、直接本編を再生できると共に、再生操作をしてから本編が再生開始されるまでの時間を短縮できる光ディスク再生装置を提供する。  【解決手段】  ＤＶＤビデオの光ディスク１に対して本編を直接再生する指示入力があったとき、ユーザオペレーション判定手段２２１はＵＯＰが禁止されていないと判定した場合に、タイトル数検出手段２２３は光ディスク１のディスク情報から総タイトル数を検出する。プログラムチェーン情報判定手段２２４はワンシーケンシャルプログラムチェーンタイトルがあることを示す場合、再生時間検出手段２２５はディスク情報から再生時間を検出する。長タイトル再生手段２２６は再生時間の検出を総タイトル数分のタイトルに対して行って最も再生時間が長いタイトルを検出する。これにより、本編が再生されることになる。【選択図】      図１
2005135477.tif 000002
【特許請求の範囲】
【請求項１】
光ディスクに記録された情報を再生する光ディスク再生装置において、ＤＶＤビデオの
光ディスクに対してユーザにより本編を直接再生するように指示入力があったとき、現状
のユーザオペレーション情報によりユーザオペレーションが禁止されているか否かを判定
するユーザオペレーション判定手段と、前記判定結果がユーザオペレーションの禁止を示
す場合に操作禁止を示す禁止マークを表示手段に表示させる禁止マーク表示手段と、前記
判定結果がユーザオペレーションの禁止を示していない場合に、前記光ディスクのディス
ク情報に含まれるビデオ管理情報管理テーブルに基づくタイトルサーチポインタテーブル
情報から総タイトル数を検出するタイトル数検出手段と、前記検出された総タイトル数に
対応する各タイトルのタイトルサーチポイントをチェックして、１個のタイトルに１個の
プログラムチェーンがあることを示すワンシーケンシャルプログラムチェーンタイトルが
あるか否かを判定するプログラムチェーン情報判定手段と、前記判定結果がワンシーケン
シャルプログラムチェーンタイトルのあることを示す場合に、タイトルサーチポイントに
基づくビデオタイトルセット情報によるプログラムチェーン情報から再生時間を検出する
再生時間検出手段と、前記再生時間の検出を総タイトル数分のタイトルに対して行って、
最も再生時間が長いタイトルを検出して再生を実行させる長タイトル再生手段とを有する
システムコントローラを備えたことを特徴とする光ディスク再生装置。
【請求項２】
光ディスクに記録された情報を再生する光ディスク再生装置において、光ディスクに対
してユーザにより本編を直接再生するように指示入力があり、ユーザオペレーションが禁
止されていない場合に、前記光ディスクのディスク情報に基づいて再生時間が最も長いタ
イトルを検出して再生を実行させるシステムコントローラを備えたことを特徴とする光デ
ィスク再生装置。
【請求項３】
ＤＶＤビデオの光ディスクであった場合、ディスク情報は、ビデオ管理情報管理テーブ
ル、タイトルサーチポインタテーブル情報、ワンシーケンシャルプログラムチェーンタイ
トル、ビデオタイトルセット情報、およびプログラムチェーン情報であることを特徴とす
る請求項２に記載の光ディスク再生装置。
【請求項４】
システムコントローラは、ＤＶＤビデオの光ディスクに対してユーザにより本編を直接
再生するように指示入力があったとき、現状のユーザオペレーション情報によりユーザオ
ペレーションが禁止されているか否かを判定するユーザオペレーション判定手段と、前記
判定結果がユーザオペレーションの禁止を示す場合に操作禁止を示す禁止マークを表示手
段に表示させる禁止マーク表示手段と、前記判定結果がユーザオペレーションの禁止を示
していない場合に、前記光ディスクのディスク情報に含まれるビデオ管理情報管理テーブ
ルに基づくタイトルサーチポインタテーブル情報から総タイトル数を検出するタイトル数
検出手段と、前記検出された総タイトル数に対応する各タイトルのタイトルサーチポイン
トをチェックして、１個のタイトルに１個のプログラムチェーンがあることを示すワンシ
ーケンシャルプログラムチェーンタイトルがあるか否かを判定するプログラムチェーン情
報判定手段と、前記判定結果がワンシーケンシャルプログラムチェーンタイトルのあるこ
とを示す場合に、タイトルサーチポイントに基づくビデオタイトルセット情報によるプロ
グラムチェーン情報から再生時間を検出する再生時間検出手段と、前記再生時間の検出を
総タイトル数分のタイトルに対して行って、最も再生時間が長いタイトルを検出して再生
を実行させる長タイトル再生手段とを有することを特徴とする請求項２に記載の光ディス
ク再生装置。
【発明の詳細な説明】
【技術分野】
【０００１】
本発明は、光ディスクに記録された情報を再生する光ディスク再生装置に関し、特に、
光ディスクに記録された情報のうち本編をサーチする際の処理に関する。
【背景技術】
【０００２】
従来から光ディスク再生装置では、ＤＶＤ（Digital Versatile Disc）ビデオなどの大
容量の光ディスクの再生を行い、例えば長時間の映画などのソフトディスクの再生に用い
られる。この映画用ソフトディスクでは、通常本偏の情報を一つのタイトルとし、それを
複数個のチャプターに区切っている。また、映画用ソフトディスクには、本偏以外に、セ
ットアップ画面、メニュー画面、プロバイダなどのロゴ画面、音声圧縮形式のロゴ画面、
コマーシャル画面、著作権などのお知らせ画面も含まれている。
【特許文献１】特開２００２−７４９０８号公報
【発明の開示】
【発明が解決しようとする課題】
【０００３】
従来の光ディスク再生装置では、ＤＶＤビデオの光ディスクを挿入後、再生操作を行う
と、ＤＶＤビデオ上のオーサリング（本編までの再生手順）に従って再生が実行されるの
で、上述したような、セットアップ画面、メニュー画面、プロバイダなどのロゴ画面、音
声圧縮形式のロゴ画面、コマーシャル画面、著作権などのお知らせ画面が表示された後、
本編が再生されることになる。したがって、再生操作をしてから本編が再生開始されるま
でに、多くの時間を要することになる。
【０００４】
また、ユーザ操作によりタイトルサーチを行う場合は、ユーザが、どのタイトル番号が
本編であるかを知る必要があった。また、ユーザ操作によるタイトルサーチは、何回も操
作部のキーを操作する必要があった。ただし、これらのユーザ操作は、ＵＯＰ（ユーザオ
ペレーション）に従うのでＤＶＤビデオの規格違反ではない。
【０００５】
なお、特許文献１に記載の従来技術では、データ長によって本編を判断すると記載され
ているが、データ長からは本編の長さを測ることが難しくなる場合もあって、本編を判断
することが難しくなる場合もある。例えば、アングルが複数ある場合、各アングルでデー
タを持たないといけないので、データ長はアングル数分をかけたものになってしまい、本
編の長さを測ることが難しくなって、本編を判断することが難しくなる。また、画面の解
像度に関係するビットレートの違いにより、同じ再生時間の映像でもデータ長は異なるの
で、データ長で本編を判断することは難しい。また、チャプタ数はディスク製造者が任意
に決めるので、チャプタ数は、ディスクによって異なり、本編の長さとは関係ないので、
本編の判断が難しくなる。したがって、この従来技術では、データ長によって本編を必ず
しも判断できるとは限らず、これにより、直接本編を再生することができるとは限らない
。
【０００６】
本発明は、上記のような課題を解決するためになされたもので、何回もキー操作を行う
必要がなく、本編再生までの必要のない情報を見ずに、直接本編を再生することができる
と共に、再生操作をしてから本編が再生開始されるまでの時間を短縮することができる光
ディスク再生装置を提供することを目的とする。
【課題を解決するための手段】
【０００７】
上記目的を達成するために、請求項１の発明は、ＤＶＤビデオの光ディスクに対してユ
ーザにより本編を直接再生するように指示入力があったとき、現状のユーザオペレーショ
ン情報によりユーザオペレーションが禁止されているか否かを判定するユーザオペレーシ
ョン判定手段と、前記判定結果がユーザオペレーションの禁止を示す場合に操作禁止を示
す禁止マークを表示手段に表示させる禁止マーク表示手段と、前記判定結果がユーザオペ
レーションの禁止を示していない場合に、前記光ディスクのディスク情報に含まれるビデ
オ管理情報管理テーブルに基づくタイトルサーチポインタテーブル情報から総タイトル数
を検出するタイトル数検出手段と、前記検出された総タイトル数に対応する各タイトルの
タイトルサーチポイントをチェックして、１個のタイトルに１個のプログラムチェーンが
あることを示すワンシーケンシャルプログラムチェーンタイトルがあるか否かを判定する
プログラムチェーン情報判定手段と、前記判定結果がワンシーケンシャルプログラムチェ
ーンタイトルのあることを示す場合に、タイトルサーチポイントに基づくビデオタイトル
セット情報によるプログラムチェーン情報から再生時間を検出する再生時間検出手段と、
前記再生時間の検出を総タイトル数分のタイトルに対して行って、最も再生時間が長いタ
イトルを検出して再生を実行させる長タイトル再生手段とを有するシステムコントローラ
を備えたことを特徴とする光ディスク再生装置を提供する。
【０００８】
この構成において、ＤＶＤビデオの光ディスクに対してユーザにより本編を直接再生す
るように指示入力があったとき、ユーザオペレーション判定手段は、現状のユーザオペレ
ーション情報によりユーザオペレーションが禁止されているか否かを判定する。前記判定
結果がユーザオペレーションの禁止を示す場合に、禁止マーク表示手段は、操作禁止を示
す禁止マークを表示手段に表示させる。
【０００９】
前記判定結果がユーザオペレーションの禁止を示していない場合に、タイトル数検出手
段は、光ディスクのディスク情報に含まれるビデオ管理情報管理テーブルに基づくタイト
ルサーチポインタテーブル情報から総タイトル数を検出する。プログラムチェーン情報判
定手段は、前記検出された総タイトル数に対応する各タイトルのタイトルサーチポイント
をチェックして、１個のタイトルに１個のプログラムチェーンがあることを示すワンシー
ケンシャルプログラムチェーンタイトルがあるか否かを判定する。
【００１０】
前記判定結果がワンシーケンシャルプログラムチェーンタイトルのあることを示す場合
に、再生時間検出手段は、タイトルサーチポイントに基づくビデオタイトルセット情報に
よるプログラムチェーン情報から再生時間を検出する。長タイトル再生手段は、前記再生
時間の検出を総タイトル数分のタイトルに対して行って、最も再生時間が長いタイトルを
検出する。これにより、最も再生時間が長いタイトル、即ち、本編が再生されることにな
る。
【００１１】
この構成によれば、何回もキー操作を行う必要がなく、本編再生までの必要のない情報
を見ずに、直接本編を再生することができると共に、再生操作をしてから本編が再生開始
されるまでの時間を短縮することができる。
【００１２】
請求項２の発明は、光ディスクに対してユーザにより本編を直接再生するように指示入
力があり、ユーザオペレーションが禁止されていない場合に、前記光ディスクのディスク
情報に基づいて再生時間が最も長いタイトルを検出して再生を実行させるシステムコント
ローラを備えたことを特徴とする光ディスク再生装置を提供する。
【００１３】
この構成において、光ディスクに対してユーザにより本編を直接再生するように指示入
力があると、システムコントローラは、ユーザオペレーションが禁止されていない場合に
、前記光ディスクのディスク情報に基づいて再生時間が最も長いタイトルを検出して再生
を実行させる。
【００１４】
この構成によれば、何回もキー操作を行う必要がなく、本編再生までの必要のない情報
を見ずに、直接本編を再生することができると共に、再生操作をしてから本編が再生開始
されるまでの時間を短縮することができる。
【００１５】
請求項３の発明では、請求項２の発明において、ＤＶＤビデオの光ディスクであった場
合、ディスク情報は、ビデオ管理情報管理テーブル、タイトルサーチポインタテーブル情
報、ワンシーケンシャルプログラムチェーンタイトル情報、ビデオタイトルセット情報、
およびプログラムチェーン情報であるので、これらの情報により、最も再生時間が長いタ
イトルを検出することが可能になる。
【００１６】
請求項４の発明では、請求項２の発明において、システムコントローラは、ＤＶＤビデ
オの光ディスクに対してユーザにより本編を直接再生するように指示入力があったとき、
現状のユーザオペレーション情報によりユーザオペレーションが禁止されているか否かを
判定するユーザオペレーション判定手段と、前記判定結果がユーザオペレーションの禁止
を示す場合に操作禁止を示す禁止マークを表示手段に表示させる禁止マーク表示手段と、
前記判定結果がユーザオペレーションの禁止を示していない場合に、前記光ディスクのデ
ィスク情報に含まれるビデオ管理情報管理テーブルに基づくタイトルサーチポインタテー
ブル情報から総タイトル数を検出するタイトル数検出手段と、前記検出された総タイトル
数に対応する各タイトルのタイトルサーチポイントをチェックして、１個のタイトルに１
個のプログラムチェーンがあることを示すワンシーケンシャルプログラムチェーンタイト
ルがあるか否かを判定するプログラムチェーン情報判定手段と、前記判定結果がワンシー
ケンシャルプログラムチェーンタイトルのあることを示す場合に、タイトルサーチポイン
トに基づくビデオタイトルセット情報によるプログラムチェーン情報から再生時間を検出
する再生時間検出手段と、前記再生時間の検出を総タイトル数分のタイトルに対して行っ
て、最も再生時間が長いタイトルを検出して再生を実行させる長タイトル再生手段とを有
するので、最も再生時間が長いタイトルを検出することが可能になり、これにより、何回
もキー操作を行う必要がなく、本編再生までの必要のない情報を見ずに、直接本編を再生
することができると共に、再生操作をしてから本編が再生開始されるまでの時間を短縮す
ることができる。
【発明の効果】
【００１７】
以上のように本発明によれば、ＤＶＤビデオの光ディスクに対してユーザにより本編を
直接再生するように指示入力があったとき、現状のユーザオペレーション情報によりユー
ザオペレーションが禁止されているか否かを判定するユーザオペレーション判定手段と、
前記判定結果がユーザオペレーションの禁止を示す場合に操作禁止を示す禁止マークを表
示手段に表示させる禁止マーク表示手段と、前記判定結果がユーザオペレーションの禁止
を示していない場合に、前記光ディスクのディスク情報に含まれるビデオ管理情報管理テ
ーブルに基づくタイトルサーチポインタテーブル情報から総タイトル数を検出するタイト
ル数検出手段と、前記検出された総タイトル数に対応する各タイトルのタイトルサーチポ
イントをチェックして、１個のタイトルに１個のプログラムチェーンがあることを示すワ
ンシーケンシャルプログラムチェーンタイトルがあるか否かを判定するプログラムチェー
ン情報判定手段と、前記判定結果がワンシーケンシャルプログラムチェーンタイトルのあ
ることを示す場合に、タイトルサーチポイントに基づくビデオタイトルセット情報による
プログラムチェーン情報から再生時間を検出する再生時間検出手段と、前記再生時間の検
出を総タイトル数分のタイトルに対して行って、最も再生時間が長いタイトルを検出して
再生を実行させる長タイトル再生手段とを有するシステムコントローラを備えたので、最
も再生時間が長いタイトルを検出することができ、これにより、何回もキー操作を行う必
要がなく、本編再生までの必要のない情報を見ずに、直接本編を再生することができると
共に、再生操作をしてから本編が再生開始されるまでの時間を短縮することができる。
【００１８】
また、発明によれば、光ディスクに対してユーザにより本編を直接再生するように指示
入力があり、ユーザオペレーションが禁止されていない場合に、前記光ディスクのディス
ク情報に基づいて再生時間が最も長いタイトルを検出して再生を実行させるシステムコン
トローラを備えたので、最も再生時間が長いタイトルを検出することができ、これにより
、何回もキー操作を行う必要がなく、本編再生までの必要のない情報を見ずに、直接本編
を再生することができると共に、再生操作をしてから本編が再生開始されるまでの時間を
短縮することができる。
【発明を実施するための最良の形態】
【００１９】
以下、添付図面を参照しつつ、本発明の実施の形態について説明する。図１は本発明の
一実施形態に係る光ディスク再生装置の構成を示すブロック図である。この光ディスク再
生装置は、光ディスク１を回転させるスピンドルモータ５と、光ディスク１に記録された
情報を再生するためのレーザ光を出射すると共に光ディスク１からの反射光を受光する光
ピックアップ２と、この光ピックアップ２を光ディスク１の半径方向に移動させるための
スレッド３と、システムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００２０】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２１】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２２】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２３】
また、この光ディスク再生装置は、システムコントローラ２２に対して、再生指示を与
えるための再生キーや、再生停止を指示するための停止キーなどの各種操作キーを有する
操作部２１と、装置全体を制御する前記システムコントローラ２２とを備えている。なお
、操作部２１は、リモートコントローラであっても良いし、装置本体の操作パネルに設け
られた操作部であっても良い。
【００２４】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４とを備えている。
【００２５】
システムコントローラ２２には、特徴とする構成要素として、ＤＶＤビデオの光ディス
ク１に対してユーザにより本編を直接再生するように指示入力があったとき、現状のユー
ザオペレーション情報によりユーザオペレーションが禁止されているか否かを判定するユ
ーザオペレーション判定手段２２１と、前記判定結果がユーザオペレーションの禁止を示
す場合に操作禁止を示す禁止マークをディスプレイ装置２０に表示させる禁止マーク表示
手段２２２と、前記判定結果がユーザオペレーションの禁止を示していない場合に、光デ
ィスク１のディスク情報に含まれるビデオ管理情報管理テーブルに基づくタイトルサーチ
ポインタテーブルから総タイトル数を検出するタイトル数検出手段２２３とが備えられて
いる。
【００２６】
また、システムコントローラ２２には、前記検出された総タイトル数に対応する各タイ
トルのタイトルサーチポイントをチェックして、１個のタイトルに１個のプログラムチェ
ーンがあることを示すワンシーケンシャルプログラムチェーンタイトルがあるか否かを判
定するプログラムチェーン情報判定手段２２４と、前記判定結果がワンシーケンシャルプ
ログラムチェーンタイトルのあることを示す場合に、タイトルサーチポイントに基づくビ
デオタイトルセット情報によるプログラムチェーン情報から再生時間を検出する再生時間
検出手段２２５と、前記再生時間の検出を総タイトル数分のタイトルに対して行って、最
も再生時間が長いタイトルを検出して再生を実行させる長タイトル再生手段２２６とが備
えられている。
【００２７】
図２は本実施形態におけるビデオマネージャ（ＶＭＧ）のデータ構造を示す図である。
ビデオマネージャ（ＶＭＧ）は、ビデオマネージャ情報（ＶＭＧＩ）と、ビデオマネージ
ャ情報メニュー用ビデオオブジェクトセット（ＶＭＧＭ＿ＶＯＢＳ）と、ビデオマネージ
ャ情報のバックアップ（ＶＭＧＩ＿ＢＵＰ）とから構成されている。ビデオマネージャ情
報（ＶＭＧＩ）は、ビデオ管理情報管理テーブル（ＶＭＧＩ＿ＭＡＴ）とタイトルサーチ
ポインタテーブル（ＴＴ＿ＳＲＰＴ）とビデオタイトルセット属性テーブル（ＶＴＳ＿Ａ
ＴＲＴ）とから構成されている。
【００２８】
図３は本実施形態におけるＶＭＧＩ＿ＭＡＴの内容を示す図である。この図３に示すよ
うに、ＶＭＧ＿ＩＤはＶＭＧ情報であることの識別子である。ＶＭＧＩ＿ＳＺはＶＭＧＩ
のサイズである。ＶＥＲＮはＤＶＤ規格のバージョン番号である。ＶＭＧ＿ＣＡＴはビデ
オマネージャカテゴリであり、例えば、コピー禁止であるかどうかのフラグなどが記述さ
れる。ＶＬＭＳ＿ＩＤはボリュームセットの識別子である。ＶＴＳ＿ＮｓはＶＴＳの数で
ある。ＰＶＲ＿ＩＤはデータ供給者の識別子である。ＶＭＧＭ＿ＶＯＢＳ＿ＳＡはＶＭＧ
Ｍ＿ＶＯＢＳの開始アドレスである。ＶＭＧＩ＿ＭＡＴ＿ＥＡはＶＭＧＩ＿ＭＡＴの終了
アドレスである。ＴＴ＿ＳＲＰＴ＿ＳＡはＴＴ＿ＳＲＰＴの開始アドレスである。
【００２９】
ＶＴＳ＿ＡＴＲＴ＿ＳＡはＶＴＳ＿ＡＴＲＴの開始アドレスである。ＶＭＧＭ＿Ｖ＿Ａ
ＴＲ，ＶＭＧＭ＿ＡＳＴ＿Ｎｓ，ＶＭＧＭ＿ＡＳＴ，ＶＭＧＭ＿ＳＰＳＴ＿ＮｓおよびＶ
ＭＧＭ＿ＳＰＳＴ＿ＡＴＲのそれぞれは、ＶＭＧＭのビデオ属性，オーディオストリーム
数，オーディオストリーム属性，副映像ストリーム数および副映像ストリーム属性である
。
【００３０】
図４は本実施形態におけるＴＴ＿ＳＲＰＴの内容を示す図である。この図４において、
ＴＴ＿ＳＲＰＴには、ＴＴ＿ＳＲＰＴの情報（ＴＴ＿ＳＲＰＴＩ）と、各タイトル用のＴ
Ｔ＿ＳＲＰとが記述される。
【００３１】
図５は本実施形態におけるＴＴ＿ＳＲＰＴＩの内容を示す図である。この図５において
、ＴＴ＿ＳＲＰＴＩには、ＴＴ＿ＳＲＰの数（ＴＴ＿ＳＲＰ＿Ｎｓ）およびＴＴ＿ＳＲＰ
Ｔの終了アドレス（ＴＴ＿ＳＲＰＴ＿ＥＡ）などが記述される。
【００３２】
図６は本実施形態におけるＴＴ＿ＳＲＰの内容を示す図である。この図６において、Ｔ
Ｔ＿ＳＲＰには、タイトルの再生タイプ（ＴＴ＿ＰＢ＿ＴＹ）、パートオブタイトル数（
ＰＴＴ＿Ｎｓ）、ＶＴＳ番号（ＶＴＳＮ）、ＶＴＳのタイトル番号（ＶＴＳ＿ＴＴＮ）お
よびＶＴＳの開始アドレス（ＶＴＳ＿ＳＡ）などが記述される。
【００３３】
図７は本実施形態におけるＶＴＳのデータ構造を示す図である。この図７において、Ｖ
ＴＳの制御データであるＶＴＳＩには、ＶＴＳ情報管理テーブル（ＶＴＳＩ＿ＭＡＴ）、
ＶＴＳダイレクトアクセスポインタテーブル（ＶＴＳ＿ＤＡＰＴ）、ＶＴＳプログラムチ
ェーンテーブル（ＶＴＳ＿ＰＧＣＩＴ）およびＶＴＳタイムサーチマップテーブル（ＶＴ
Ｓ＿ＭＡＰＴ）などが記述される。
【００３４】
図８は本実施形態におけるＶＴＳＩ＿ＭＡＴの内容を示す図である。図８において、Ｖ
ＴＳ＿ＩＤはＶＴＳ情報であることの識別子である。ＶＴＳ＿ＳＺはＶＴＳのサイズであ
る。ＶＥＲＮはＤＶＤビデオ規格のバージョン番号である。ＶＴＳ＿ＣＡＴはＶＴＳの属
性である。ＶＴＳＭ＿ＶＯＢ＿ＳＡはＶＴＳのメニュー用としてのＶＴＳＭ＿ＶＯＢＳの
開始アドレスである。ＶＴＳＴＴ＿ＶＯＢ＿ＳＡはＶＴＳのタイトル用としてのＶＴＳＴ
Ｔ＿ＶＯＢＳの開始アドレスである。
【００３５】
ＶＴＳＩ＿ＭＡＴ＿ＥＡはＶＴＳＩ＿ＭＡＴの終了アドレスである。ＶＴＳ＿ＤＡＰＴ
＿ＳＡはＶＴＳ＿ＤＡＰＴの開始アドレスである。ＶＴＳ＿ＰＧＣＩＴ＿ＳＡはＶＴＳ＿
ＰＧＣＩＴの開始アドレスである。ＶＴＳ＿ＰＧＣＩＴ＿ＵＴ＿ＳＡはＶＴＳ＿ＰＧＣＩ
Ｔ＿ＵＴの開始アドレスである。ＶＴＳ＿ＭＡＰＴ＿ＳＡはＶＴＳ＿ＭＡＰＴの開始アド
レスである。ＶＴＳ＿Ｖ＿ＡＴＲはＶＴＳのビデオ属性である。
【００３６】
ＶＴＳ＿ＡＳＴ＿Ｎｓ、ＶＴＳ＿ＡＳＴ＿ＡＴＲ、ＶＴＳ＿ＳＰＳＴ＿ＮｓおよびＶＴ
Ｓ＿ＳＰＳＴ＿ＡＴＲのそれぞれは、タイトル用としてのＶＴＳＴＴ＿ＶＯＢＳのオーデ
ィオストリーム数、オーディオストリーム属性、副映像ストリーム数および副映像ストリ
ーム属性である。また、ＶＴＳＭ＿ＡＳＴ＿Ｎｓ、ＶＴＳＭ＿ＡＳＴ＿ＡＴＲ、ＶＴＳ＿
ＳＰＳＴ＿ＮｓおよびＶＴＳ＿ＳＰＳＴ＿ＡＴＲのそれぞれは、メニュー用としてのＶＴ
ＳＭ＿ＶＯＢＳのオーディオストリーム数、オーディオストリーム属性、副映像ストリー
ム数および副映像ストリーム属性である。
【００３７】
図９は本実施形態において再生時間が最も長いタイトルをサーチする処理を説明するた
めのフローチャートである。このフローチャートを参照して再生時間が最も長いタイトル
をサーチする処理を説明する。
【００３８】
先ず、ＤＶＤビデオの光ディスク１に対してユーザにより本編を直接再生するように指
示する操作部２１のキーが押下されると（ステップＳ１）、本編再生までの再生処理が開
始し、システムコントローラ２２のユーザオペレーション判定手段２２１は、現在の再生
箇所のＴｉｔｌｅ＿ＰｌａｙのＵＯＰ（ユーザオペレーション）をチェックし（ステップ
Ｓ２）、ＵＯＰが禁止されているか否かを判定する（ステップＳ３）。この判定結果がＵ
ＯＰの禁止を示す場合に、禁止マーク表示手段２２２は、操作禁止を示す禁止マークをデ
ィスプレイ装置２０に表示させる（ステップＳ５）。この表示により、ユーザは、本編を
直接再生することができないということを知ることができる。
【００３９】
一方、前記判定結果がＵＯＰの禁止を示していない場合に、タイトル数検出手段２２３
は、光ディスク１のディスク情報に含まれるビデオ管理情報管理テーブル（ＶＭＧＩ＿Ｍ
ＡＴ）に基づくタイトルサーチポインタテーブル情報（ＴＴ＿ＳＲＰＴＩ）から総タイト
ル数を検出して（ステップＳ４）、カウント値ｎを数値１に設定する（ステップＳ６）。
【００４０】
次に、プログラムチェーン情報判定手段２２４は、前記検出された総タイトル数に対応
する各タイトルのタイトルサーチポイント（ＴＴ＿ＳＲＰ♯ｎ）をチェックして（ステッ
プＳ７）、１個のタイトルに１個のプログラムチェーンがあることを示すワンシーケンシ
ャルプログラムチェーンタイトル（Ｏｎｅ＿Ｓｅｑｕｅｎｔｉａｌ＿ＰＧＣ＿Ｔｉｔｌｅ
）があるか否かを判定する（ステップＳ８）。
【００４１】
前記判定結果がワンシーケンシャルプログラムチェーンタイトル（Ｏｎｅ＿Ｓｅｑｕｅ
ｎｔｉａｌ＿ＰＧＣ＿Ｔｉｔｌｅ）のないことを示す場合はステップＳ１０に移る。なお
、ワンシーケンシャルプログラムチェーンタイトル（Ｏｎｅ＿Ｓｅｑｕｅｎｔｉａｌ＿Ｐ
ＧＣ＿Ｔｉｔｌｅ）以外のタイトルについては、その再生時間の検出が困難であるので、
そのタイトルの再生時間は無視する。その理由は、複数のプログラムチェーンタイトル（
ＰＧＣ＿Ｔｉｔｌｅ）があると、タイトルの再生経路が多くあり、そこでユーザが選べる
タイトルがあると、ユーザの選んだタイトルによって再生時間が異なる場合があって、再
生時間の検出が難しくなり、したがって、その再生時間は無視することにする。
【００４２】
前記判定結果がワンシーケンシャルプログラムチェーンタイトル（Ｏｎｅ＿Ｓｅｑｕｅ
ｎｔｉａｌ＿ＰＧＣ＿Ｔｉｔｌｅ）のあることを示す場合には、再生時間検出手段２２５
は、タイトルサーチポイント（ＴＴ＿ＳＲＰ♯ｎ）に基づくビデオタイトルセット情報（
ＶＴＳＩ）によるプログラムチェーン情報（ＰＧＣＩ）から再生時間を検出する（ステッ
プＳ９）。ここでは、ｎ＝１のタイトルサーチポイント（ＴＴ＿ＳＲＰ♯ｎ）に基づくビ
デオタイトルセット情報（ＶＴＳＩ）によるプログラムチェーン情報（ＰＧＣＩ）から再
生時間が検出されることになる。
【００４３】
次に、ｎ＝２のタイトルサーチポイント（ＴＴ＿ＳＲＰ♯ｎ）に基づくビデオタイトル
セット情報（ＶＴＳＩ）によるプログラムチェーン情報（ＰＧＣＩ）から再生時間を検出
するために、カウント値ｎ＝ｎ＋１に設定し（ステップＳ１０）、そのカウント値ｎが前
記総タイトル数以下の場合はステップＳ７に戻り、ステップＳ８，Ｓ９の処理を行って、
ｎ＝２のタイトルサーチポイント（ＴＴ＿ＳＲＰ♯ｎ）に基づくビデオタイトルセット情
報（ＶＴＳＩ）によるプログラムチェーン情報（ＰＧＣＩ）から再生時間を検出する。
【００４４】
以下同様に、ｎ＝３，４，５・・・に対する処理（ステップＳ７，Ｓ８，Ｓ９，Ｓ１０
，Ｓ１１）を繰り返し、カウント値ｎが総タイトル数を超えたとき、長タイトル再生手段
２２６は、前記検出された再生時間のうち、最も再生時間が長いタイトルを検出して再生
を実行させる（ステップＳ１２）。これにより、再生時間が最も長いタイトルが本編であ
ると考えられるので、ステップＳ１でユーザが指示した本編が直接再生されることになる
。
【００４５】
以上説明したように本実施形態によれば、ＤＶＤビデオの光ディスク１に対してユーザ
により本編を直接再生するように指示入力があり、ＵＯＰ（ユーザオペレーション）が禁
止されていない場合に、前記光ディスク１のディスク情報に基づいて再生時間が最も長い
タイトルを検出して再生を実行させるシステムコントローラ２２を備えたので、最も再生
時間が長いタイトルを検出することができ、これにより、何回もキー操作を行う必要がな
く、本編再生までの必要のない情報を見ずに、直接本編を再生することができると共に、
再生操作をしてから本編が再生開始されるまでの時間を短縮することができる。
【図面の簡単な説明】
【００４６】
【図１】本発明の一実施形態に係る光ディスク再生装置の構成を示すブロック図である。
【図２】前記実施形態におけるビデオマネージャ（ＶＭＧ）のデータ構造を示す図である。
【図３】前記実施形態におけるＶＭＧＩ＿ＭＡＴの内容を示す図である。
【図４】前記実施形態におけるＴＴ＿ＳＲＰＴの内容を示す図である。
【図５】前記実施形態におけるＴＴ＿ＳＲＰＴＩの内容を示す図である。
【図６】前記実施形態におけるＴＴ＿ＳＲＰの内容を示す図である。
【図７】前記実施形態におけるＶＴＳのデータ構造を示す図である。
【図８】前記実施形態におけるＶＴＳＩ＿ＭＡＴの内容を示す図である。
【図９】前記実施形態において再生時間が最も長いタイトルをサーチする処理を説明するためのフローチャートである。
【符号の説明】
【００４７】
１    光ディスク
２０    ディスプレイ装置（表示手段）
２２    システムコントローラ
２２１    ユーザオペレーション判定手段
２２２    禁止マーク表示手段
２２３    タイトル数検出手段
２２４    プログラムチェーン情報判定手段
２２５    再生時間検出手段
２２６    長タイトル再生手段
【図１】
2005135477.tif 000003
【図２】
2005135477.tif 000004
【図３】
2005135477.tif 000005
【図４】
2005135477.tif 000006
【図５】
2005135477.tif 000007
【図６】
2005135477.tif 000008
【図７】
2005135477.tif 000009
【図８】
2005135477.tif 000010
【図９】
2005135477.tif 000011